(57)【要約】      （修正有）【課題】除雪作業中に落雪塊が作業者に衝る危険性を排除した屋根の積雪除去具の提供。【解決手段】薄板本体Ａの中央部の縦方向に、上方に半円弧状に膨出させて補強骨１ａと成し、この補強骨１ａの裏面には握持柄Ｂの先端部を固着するように成し、この補強骨１ａの頂部には切刃板２を立設し、薄板本体Ａの両側端の前半部分を直角状に立ち上げてサイドガイド３ａ３ｂと成し、薄板本体Ａの後方部にはＶ字状の案内板４ａ４ｂを立設し、この案内板４ａ４ｂの先方の尖端部を前記切刃板２の後方部に連結すると共に、左右にＶ字状に開く案内板４ａ４ｂと対向するサイドガイド３ａ３ｂの後端との間を雪の通路５ａ５ｂとし、この通路末端の排除口６ａ６ｂを薄板本体Ａの後半部の両側に開口した屋根の積雪の除去具。【選択図】図１
2007231708.tif 000002
【特許請求の範囲】
【請求項１】
薄板本体の中央部の縦方向に、試験管を縦割した形状に似せたような、上方に半円弧状に膨出して補強骨と成し、この補強骨の裏面には握持柄の先端部を当接して固着するように成し、又、補強骨の頂部には切刃板を立設し、薄板本体の両側端の前半部分を直角状に立ち上てサイドガイドと成し、薄板本体の後方部には平面視Ｖ字状の案内板を立設し、この案内板の先方の尖端部を前記切刃板の後方部に連結すると共に、左右にＶ字状に開く案内板と対向するサイドガイドの後端との間を雪の通路とし、この通路末端の排除口を薄板本体の後半部分の両側に開口したことを特徴とする屋根の積雪の除去具。
【発明の詳細な説明】
【発明の詳細な説明】
【技術分野】
【０００１】  本発明は屋根の積雪を除去するに当たり、屋根に上がらずに、下方から突いて落とすようにする除雪具に係わるもので、除雪作業中に落雪塊が作業者に衝る危険性を排除するように考慮した、屋根の積雪の除去具に関するものである。
【背景技術】
【０００２】  従来から屋根の積雪の除去（これを通称雪降ろしと言う）には、スコップとかスノーダンプを用いるのが普通であり、近年ポリカーボネート樹脂製品の大量消費につれて、樹脂ペレットが安価になって来たためなのか、ブルドーザの排土板のように、後方に湾曲させた形状に似せて、これを軽量小型化したものが新規に出回り、人力用の排雪板として雪降ろしの道具の一つとして利用されている。【０００３】  山間部の豪雪地帯は過疎化が進み、若者は仕事を求めて街に出てしまっているから、高齢者の多くがこうした地帯に取り残されている。従って雪降ろしに従事する人達の多くは高齢者であり、これら足腰の不安定な人々に高所作業を行わせる事は非常に危険である。今年のような大雪の年では勿論の事、毎年雪降ろし作業中に雪と一緒に滑落して、命を失う高齢者は後を絶たないものである。
【発明が解決しょうとする課題】
【０００４】  雪降ろしの際には命綱を使用するようにとの、通達を受けているが、命綱を取り付ける箇所も積雪に埋もれてしまい、命綱の使用は困難になる、しからば屋根に上がらずに雪を降ろす事ができないであろうかと、この課題に取り組み、色々試してみた事がある。ここで使用した道具は、凡そ数十年以前頃に、苗代の泥土の掻き均しの道具として使用されていたものに似せて、細長い柄の先端に直交状に交差する立板を取り付け、雪を抱えるように成したもので、家の軒下より外側に離れた位置から、この道具を用いて雪降ろしを行ってみた。
【０００５】  道具の先端の板を雪に打ち込み、握り柄を引くだけの操作であるが、引き摺り下ろされる雪塊が、自分めがけて落下して来る。軒先に近い箇所の除雪であれば、雪塊の落下位置より離れた位置に立って作業が行えるから、落雪を気にする必要は無いが、軒先より奥まった位置の除雪となると、作業者の立つ位置と落雪する位置が重なるから、作業者は安心して除雪を続ける事ができない。
【０００６】  こうした状態では通常、握り柄を体に引き寄せずに、体ごと道具を移動させることによって、落雪を避けながら除雪ができるのではないか？と誰しも考え易いような推論があるが、これは豪雪を知らない人々の考え方であって、雪に足を取られた事の無い人達の想定である、また屋根の形態や積雪の経過や状態によっては、除雪作業時の振動や刺激によって、想定外の雪塊が滑落する事もあり得る。
【課題を解決するための手段】
【０００７】  本発明は、薄板本体の中央部の縦方向に配置して、凸形状で途中まで暫時増大するようにしながら半円弧状に膨出させて補強骨と成し、この補強骨の裏面には後ろ方向に細く伸長した握持柄の先端部を当接して固着するように成す、又この補強骨の頂部には切刃板を立設し、薄板本体の両側端の前半部分を直角状に立ち上げてサイドガイドと成す。
【０００８】  一方薄板本体の後方部には平面視Ｖ字状の案内板を立設し、この案内板の先方に相当する尖端部を前記切刃板の後方部に連結すると共に、左右にＶ字状に開く案内板と対向するサイドガイドの後端との間を雪の通路とし、この雪の通路の終端に相当する排除口を、薄板本体の後半部分の両側端に開口するように成した屋根の積雪の除去具を提供する。
【０００９】  こうした本発明の除雪具は、長い握持柄の先端に、薄板本体に種々の突起部品を取り付けて主要部を構成したものであるから、主要部を軽量化することによって、操作し易くすると同時に、突き押しの繰り返し作業に対して、座屈や変形の生じ難いように、主要部に構成する必要があると共に、できる限り軽量化を計るためには、薄板本体をアルミニュームか又はポリカーボネート樹脂等の材料を大幅に取り入れるように考慮したものにする必要がある。
【発明を実施するための最良の形態】
【００１０】  本発明の一実施例を示す図面を参照して説明する、図１は本発明に係わる装置を具備する屋根の積雪の除去具から握持柄の一部分を付して示す全体の斜視図。図２は屋根の積雪の除去具で  図１の斜視図て示したれた主要部の平面図、図３は図２のＸーＸ線で切断した、矢視方向での正断面図、図４は本発明の屋根の積雪の除去具の使用態様を示す斜視図である。【００１１】  図１の斜視図と図２の平面図より、薄板本体Ａの幅員の中央部を通るように、途中迄暫時増大させたのち一定の大きさの寸法で、上方に半円弧状と成した補強骨１ａを膨出させ、この補強骨１ａの頂部に切刃板２を立設し、補強骨１ａの裏面部には握持柄Ｂの先方部を密着状に当接して固着する。【００１２】  薄板本体Ａの前半部分に相当する左右の両側端部を直角状に折曲してサイドガイト３ａ、３ｂとするか、又はこの両端部に薄板本体Ａと別態に製作された板材を固着して、サイドガイド３ａ、３ｂと成すようにするかは、薄板本体Ａの材料の選択によって、強度上から各要素の止着方式による製法が多少異なる。【００１３】  更に、薄板本体の後半部には、図２に示すようにＶ字状の案内板４ａ、４ｂを立設し、この案内板４ａ、４ｂの尖端部分を前記切刃板２の後方部に連結する、又、案内板４ａ、４ｂの開脚側と対向しているサイドガイド３ａ、３ｂの後方側との間を雪の通路５ａ、５ｂとし、この雪の通路の終端を排除口６ａ、６ｂとし、右側の排除口６ａは右側のサイドガイド３ａの後端と案内板４ａの右端との間に、又、左側の排除口６ｂは左側のサイドガイド３ｂの後端と案内板４ｂの左端との間に、夫々開口させてある。【００１４】  以上のような構成よりなる屋根の積雪の除去具を用いて、雪降ろし作業を説明する。屋根の積雪が心配になる頃ともなると、家屋の回りも相当の積雪量となる。これは家屋付近の利用地からの除雪の排雪場所として、未利用地である軒下付近が選ばれるから、積み上げられた雪によって、冬期間は目視による屋根の高さは低く見えるばかりか、事実上も家屋の周囲から手の届く位置まで軒がくるように低くなるから、下から屋根の積雪を突く事が比較的やり易い状態になる。【００１５】  屋根の除雪作業は図４に示すように、握持柄Ｂの後方部を持ち、先端の薄板本体Ａを雪の傾斜合わせて刺し込むように押す。作業初期で溝幅の狭い状態時には、スコップで雪を掬うような作業のやり方で溝作りを行い、下方の軒から上の棟迄一本の溝ができれば、本発明の積雪の除去具の能力を発揮することが可能となる。こうした初期の溝の形成には、下方から作業するよりも、棟を跨いで上から雪を突き押すような作業の方が楽であるし、溝も畝状に一つ置きに数多く形成すれば、以後の作業がはるかに省力的に行える。【００１６】つまり、形成された溝の左側隣に、薄板本体Ａを刺し込んだと想定すると、左側の排除口６ｂは雪の壁に塞がれ、右側の排除口６ａは開口した儘の状態である。従って握持柄Ｂを突き出せば、薄板本体Ａによって積雪の中腹を切り裂き、薄板本体Ａに立設した左側端のサイドガイド３ｂと中央部の切刃板２によって、縦に切り裂いている、同時に前側の雪に押されるような作用を受けるから、切り裂かれた雪は右の案内板４ａによって誘導され、右側の排���口６ａより排出される。【００１７】  屋根上の雪は陽が当たったり、寒風が吹き付けたりする等の、繰り返しの中で積雪していったものであるから、次第に圧縮されて比較的固い雪質になっている、従って、切り裂かれて排出される雪は、細かく砕けること無く、塊となって薄板本体Ａの排除口６ａ、６ｂより排出されて、屋根を滑り落ちるようになるものであるが、左右の案内板４ａ、４ｂによって誘導され、側方に押し出してから落下するように成るから、作業者に雪塊の当たる恐れが無くなる。
【発明の効果】
【００１８】  以上、詳細に説明したところから明らかなように、本発明の屋根の積雪の除去具は、下から押すことによって屋根の雪降ろしを行うように成した作業具であるが、下からの雪降ろしは、通常引っ張って掻き落とす方法を採るのが極普通の考え方である。しかしながら落下する雪塊が作業者に降りかかり、危険と不快感の付き纏うような除雪具になってしまう。本願の積雪の除去具は薄板本体と、該本体の両側端と中央部に立設するサイドガイドと切刃板によって、積雪より一定の幅員と厚みを有するように、ブロック状に切り裂き、前記切刃板の後部よりＶ字状に側方に開脚する案内板によって、切り裂かれた雪のブロックは、側方に誘導され排除口より器外に押し出され、屋根の傾斜によって流下するが、雪のブロックは作業者の立つ位置より側方の離れた位置に落下するから、安心して作業することができる等、本発明によれば記述した従来の問題点は良好に解決できる。
【図面の簡単な説明】
【図１】本発明に係わる装置を具備する屋根の積雪の除去具要部の拡大斜視図である。
【図２】図１と同様に握持柄の一部分を残して示す屋根の積雪の除去具の平面図である。
【図３】図２のＸ−Ｘ線で切断した、矢視方向での正面図である。
【図４】本発明の屋根の積雪の除去具の使用態様を示す斜視図である。
【符号の説明】
Ａ…    薄板本体、
Ｂ…    握持柄、
１ａ…  補強骨、
２…    切刃板、
３ａ…  右サイドガイド、
３ｂ…  左サイドガイド、
４ａ…  右案内板、
４ｂ…  左案内板、
５ａ…  右雪の通路、
５ｂ…  左雪の通路、
６ａ…  右排除口、
６ｂ…  左排除口、
【図１】
2007231708.tif 000003
【図２】
2007231708.tif 000004
【図３】
2007231708.tif 000005
【図４】
2007231708.tif 000006